(57)【特許請求の範囲】
【請求項１】
両端に鍔が設けられた巻胴に仕切り壁を取付けて引留クランプ収納部を設けてなる送電線用ドラムにおいて、前記引留クランプ収納部側に位置した鍔または仕切り壁に、ネット状の部材を設けたことを特徴とする送電線用ドラム。
【発明の詳細な説明】
【０００１】
【発明の属する技術分野】
本発明は、架空送電線のプレハブ架線工法に用いられる送電線用ドラムに関するものである。
【０００２】
【従来の技術】
近年、架空送電線の架線工事の効率化を図るためにプレハブ架線工法が採用されている。
このプレハブ架線工法は、予め架線すべき鉄塔の区間を計尺し、該計尺した鉄塔間の長さに基づいて電線を所定の長さに計尺して切断し、また該切断した電線の両端に引留クランプを圧縮固定し、該両端に引留クランプを圧縮固定した電線を送電線用ドラムに巻き取っておき、架線工事の際には、一方の引留クランプに延線用ワイヤーを接続して順次電線を繰り出して行くものである。
【０００３】
上記のようなプレハブ架線工法によれば、鉄塔間に電線を延線した後に、鉄塔上で電線の両端に引留クランンプを取付ける作業を必要としないので電線を鉄塔に引留める作業を簡単に短時間で行うことができるという利点がある。
【０００４】
上記プレハブ架線工法に使用する送電線用ドラムは、図３に示すように、両端に鍔１０、１１が設けられた巻胴２０に仕切り壁３０、３１を取付けて引留クランプ収納部４０、４１を設けた構成となっている。仕切り壁３０は、鍔１０の内側の巻胴２０に鍔１０と対向して設けられており、また仕切り壁３１は、鍔１１の内側の巻胴２０に鍔１１と対向して設けられている。鍔１０と仕切り壁３０とで作る空間部が引留クランプ収納部４０となっており、また鍔１１と仕切り壁３１とで作る空間部が引留クランプ収納部４１となっている。なお、符号５０は電線巻き取り部である。
【０００５】
この送電線用ドラムは、電線巻き取り部５０に電線を巻き取り、また引留クランプ収納部４０、４１に電線の両端に接続した引留クランプをそれぞれ収納して使用するものである。
【０００６】
上記のように、通常は１ドラムに１区間分の電線を巻き取っているが、耐張区間が連続して存在する場合がある。この場合、１区間１ドラムでは、ドラムの数が多くなってしまい、ドラムコスト、ドラム運搬コストが大幅に上昇してしまう等の問題がある。そこで１個のドラムに複数区間の電線を、１耐張区間ごとの電線に切り分けて収納するようにした送電線用ドラムが開発された。
【０００７】
このような送電線用ドラムの一例を図４に示す。この送電線用ドラムは２つの耐張区間に延線する電線を巻取るものであり、両端に鍔１０、１１が設けられた巻胴２０に４個の仕切り壁３０、３１、３２、３３を設けた構造となっている。仕切り壁３０は一方の鍔１０の内側の巻胴２０に鍔１１と対向して取付けられており、仕切り壁３１、３２は対向した状態で巻胴２の長手方向略中央位置に取付けられており、更に仕切り壁３３は他方の鍔１１の内側の巻胴２０に鍔１１と対向して取付けられている。鍔１０と仕切り壁３０とで作る空間部、仕切り壁３１と３２で作る空間部および鍔１１と仕切り壁３３とで作る空間部がそれぞれ引留クランプ収納部４０、４１、４２となっている。なお、符号５０および５１はそれぞれ電線巻き取り部である。
【０００８】
この送電線用ドラムは、仕切り壁３０と３１に挟まれた電線巻き取り部５０に第１の耐張区間用の電線を巻き取り、また仕切り壁３２と３３に挟まれた電線巻き取り部５１に第２の耐張区間用の電線を巻き取るものである。また一方の鍔１０と仕切り壁３０との間に形成された引留クランプ収納部４０には、第１の耐張区間用の電線の一端末に圧縮固定した引留クランプを収納し、仕切り壁３１と３２との間に形成された引留クランプ収納部４１には、第１の耐張区間用の電線の他端末に圧縮固定した引留クランプを収納すると共に第２の耐張区間用の電線の一端末に圧縮固定した引留クランプを収納し、仕切り壁３３と他方の鍔１１との間に形成された引留クランプ収納部４２には、第２の耐張区間用の電線の他端末に圧縮固定した引留クランプを収納して使用するものである。
【０００９】
ところで従来、上記のような送電線用ドラムの引留クランプ収納部に収納した引留クランプを固定するには、図５に示すように、引留クランプ６０の先端にロープ６２を取付け、該ロープ６２を例えば引留クランプ収納部４０側に位置した仕切り壁３０に固定していた。すなわち、引留クランプ収納部４０側に位置した仕切り壁３０にフック６４を固定しておき、該フック６４にロープ６２を固定することによって引留クランプ６０を固定していた。
【００１０】
【発明が解決しようとする課題】
しかしながら、上記のように、引留クランプ収納部側に位置した鍔または仕切り壁にフック６４を固定しておき、該フック６４にロープ６２を固定する構造では、フック６４にロープ６２を結び付ける作業が面倒であり、またフック６４の数も少ないので任意の場所に引留クランプを固定することができないという問題があった。
【００１１】
【課題を解決するための手段】
本発明は、上記課題に鑑みてなされたもので、簡単にしかも任意の位置で引留クランプを取付けることができる送電線用ドラムを提供するもので、その構成は、両端に鍔が設けられた巻胴に仕切り壁を取付けて引留クランプ収納部を設けてなる送電線用ドラムにおいて、前記引留クランプ収納部側に位置した鍔または仕切り壁に、ネット状の部材を設けたことを特徴とするものである。
【００１２】
このように、引留クランプ収納部側に位置した鍔または仕切り壁に、ネット状の部材を設けておくことにより、該ネット状の部材を利用して任意の位置で簡単に引留クランプを固定することができる。
【００１３】
【発明の実施の形態】
以下、本発明を図面を参照して詳細に説明する。
図１は前記図３および図４に示した引留クランプ収納部４０に位置した仕切り壁３０の側面図であり、該仕切り壁３０には、ネット状の部材１００が取付けてある。このネット状の部材１００は、金属線やプラスチック線等を格子状に形成したものであり、適宜な手段で仕切り壁３０に取付けておくものである。
【００１４】
このようなネット状の部材１００を利用して引留クランプ６０を固定するには次のように行う。まず、仕切り壁３０に貫通して形成されたスリット３６から導出された電線７０に引留クランプ６０を圧縮した後、電線７０を略円弧状に折り曲げる。次に電線７０と引留クランプ６０に所定間隔を開けて抑え部材１１０を取付ける。抑え部材１１０は、帯状体１１１とフック体１１２とから構成されており、帯状体１１１を電線７０および引留クランプ６０の外周に巻き付けた後、フック体１１２の基部側を帯状体１１１に取付けると共にフック体１１２の先端側をネット状の部材１００に引掛け固定する。これによって、電線７０と引留クランプ６０を仕切り壁３０に容易に固定することができる。
【００１５】
なお、本発明で使用するネット状の部材１００の材質や形状は特に限定するものではなく、材質としては例えばゴム状のものでもよく、また形状としては図２に示すように放射状の縦糸１５０と円状の横糸１６０を組み合わせたものでもよい。また、上記の実施の形態においてはネット状の部材１００を仕切り壁に取付けたが、ネット状の部材１００は鍔側に取付けてもよい。更に抑え部材１１０の形状も特に限定するものではなく、例えば帯状体に代えて線状体を使用したり、フック体を帯状体や線状体の両側に取付けてもよい。更に、本発明で使用する送電線用ドラムの形状も、少なくとも１個の引留クランプ収納部が存在するものであればよく、特に限定するものではない。
【００１６】
【発明の効果】
以上のように、本発明に係る送電線用ドラムは、両端に鍔が設けられた巻胴に仕切り壁を取付けて引留クランプ収納部を設けてなる送電線用ドラムにおいて、前記引留クランプ収納部側に位置した鍔または仕切り壁に、ネット状の部材を設けたので、該ネット状の部材を利用して任意の位置で簡単に引留クランプを固定することができる。
【図面の簡単な説明】
【図１】本発明に係る送電線用ドラムの要部を示す側面図。
【図２】本発明で使用するネット状の部材の実施の形態を示す側面図。
【図３】送電線用ドラムの一実施の形態を示す正面図。
【図４】送電線用ドラムの他の実施の形態を示す正面図。
【図５】従来の引留クランプの固定状態を示す側面図。
【符号の説明】
３０          仕切り壁
４０          引留クランプ収納部
６０          引留クランプ
１００        ネット状の部材
１１０        抑え部材
１１１        帯状体
１１２        フック体
【図１】
0003676016.tif 000002
【図２】
0003676016.tif 000003
【図３】
0003676016.tif 000004
【図４】
0003676016.tif 000005
【図５】
0003676016.tif 000006